(57)【特許請求の範囲】
【請求項１】
着用者の丹田上方の丹田近傍部よりも下方の下半身部に着用可能であり該着用者の丹田上方の丹田近傍部よりも下方の下半身部に密着するように構成された下半身部用衣類本体部を有し、
該下半身部用衣類本体部には、伸縮可能なバンド部からなり該下半身部用衣類本体部を着用したときに一端が右足又は右脚に配置される右足把持バンド部と、伸縮可能なバンド部からなり該下半身部用衣類本体部を着用したときに一端が左足又は左脚に配置される左足把持バンド部とが、それぞれ該下半身部用衣類本体部に対して移動不能に設けられ、
該右足把持バンド部の他端及び該左足把持バンド部の他端は人体の前方であって丹田に対向する場所において一点収束して互いに結合され下結合点をなし、
該右足把持バンド部は、該下結合点から、右太股の前側、右脚の外側にこの順で対向するように螺旋状に巻回されるように配置され、
該左足把持バンド部は、該下結合点から、左太股の前側、左脚の外側にこの順で対向するように螺旋状に巻回されるように配置され、
該下半身部用衣類本体部には、伸縮可能なバンド部からなる右外旋誘導補助バンド部と、伸縮可能なバンド部からなる左外旋誘導補助バンド部とが、それぞれ該下半身部用衣類本体部に対して移動不能に設けられ、
該右外旋誘導補助バンド部は、着用者の右股関節の外旋を誘導促進させるために、その一端が該下結合点において該右足把持バンド部に重ねられ、右大腿部前部、右大腿部とお尻との接続位置、右大腿部の内側にこの順で対向するように螺旋状に配置され、更に右大腿部の周方向へ右大腿部を１周巻回するように、当該右大腿部の内側から右大腿部の前部を通り右大腿部の外側へ延出し右大腿部の後部を通り当該右大腿部の内側において該右外旋誘導補助バンド部の中間の部分に該右外旋誘導補助バンド部の他端が重ねられ、
該左外旋誘導補助バンド部は、着用者の左股関節の外旋を誘導促進させるために、その一端が該下結合点において該左足把持バンド部に重ねられ、左大腿部前部、左大腿部とお尻との接続位置、左大腿部の内側にこの順で対向するように螺旋状に配置され、更に左大腿部の周方向へ左大腿部を１周巻回するように、当該左大腿部の内側から左大腿部の前部を通り左大腿部の外側へ延出し左大腿部の後部を通り当該左大腿部の内側において該左外旋誘導補助バンド部の一部に該左外旋誘導補助バンド部の他端が重ねられ、
該右足把持バンド部及び、該左足把持バンド部のそれぞれの収縮力により右脚及び左脚を該下結合点へ引寄せることを特徴とする下半身部用衣類。
【請求項２】
該右足把持バンド部は、該下結合点から、右太股の前側、右脚の外側、右脚の膝の裏側にある大腿三頭筋、右脚の内側、右脚のふくらはぎ、及び右脚の内側のくるぶしのすぐ上にこの順で対向するように螺旋状に巻回されるように配置され、
該左足把持バンド部は、該下結合点から、左太股の前側、左脚の外側、左脚の膝の裏側にある大腿三頭筋、左脚の内側、左脚のふくらはぎ、及び左脚の内側のくるぶしのすぐ上にこの順で対向するように螺旋状に巻回されるように配置されていることを特徴とする請求項１記載の下半身部用衣類。
【発明の詳細な説明】
【技術分野】
【０００１】
本発明は下半身部用衣類に関し、特に日常生活において着用されることにより姿勢の改善を行う下半身部用衣類に関する。
【背景技術】
【０００２】
従来より、姿勢の矯正を行う姿勢矯正バンドが知られている。この姿勢矯正バンドは、装着している状態であることが一見して他人から分からないように、シャツ等の内側等に装着されて用いられる。この姿勢矯正バンドは、バンド本体とバンド本体から延出する複数本からなる本体支持ベルトとを有しており、上半身に装着される。バンド本体は人体の背中に対向する。本体支持ベルトは、人体の腹部及び肩等を巻回することによりバンド本体を所定の位置に支持すると共に、人体の腹部及び肩等をバンド本体の位置する背中の方向に引っ張る。このことにより、２つの肩胛骨が互い引寄せられ、上半身が胸を張ったような状態となり姿勢の矯正が行われる。
【０００３】
しかし、従来の姿勢矯正バンドでは、上述のように肩胛骨を互いに引寄せて、見た目が美しい上半身の姿勢を強制的に形づくっていた。従って、従来の姿勢矯正バンドで矯正されるのは、上半身といった体の一部だけであり、人体のアラインメント、即ち、体全体の筋骨格系のならびについては考慮されておらず、結果的に、体全体としては不自然な姿勢が強要されていた。具体的には、骨盤の向きが不適切な状態のまま上体のみが矯正されるため、脊椎や骨盤の関節に負担がかかるといった具合である。
【０００４】
このため、体に疲労が生じてしまい、長時間に渡り姿勢矯正バンドを装着することはできなかった。また、不自然な姿勢が強要されるため、却って上半身を丸めて猫背にしようとしてしまい、姿勢矯正バンドを装着していないときの姿勢が余計に悪くなってしまうという問題が生じていた。より具体的には、老人は一般に骨盤が後傾し、重心が後方に位置している。このため、従来の姿勢矯正バンドにより上半身の姿勢を矯正すると、上半身が後方に反り返る傾向となるために上半身も後傾し、立った姿勢での重心は一層後位となり安定性を欠く。姿勢を安定させるためには矯正された上半身を前傾しなければならず、老人にとっては姿勢矯正バンドの着用が却って逆効果となることもある。
【０００５】
また、猫背のひどい人や高齢者等で前かがみの姿勢になっている人は、姿勢が良く背筋の伸びている人と比較して骨盤が後方に位置していることが多いが、従来の姿勢矯正バンドでは、上半身の姿勢を矯正することはできたとしても、骨盤まで適正な位置に矯正することはできなかった。
【０００６】
特許第３６６３１６８号公報には、上述の課題を解決する姿勢改善バンドが記載されている。姿勢改善バンドは、伸縮可能なバンドからなり一端が右肩に掛けられる右肩把持バンドと、伸縮可能なバンドからなり一端が左肩に掛けられる左肩把持バンドと、伸縮可能なバンドからなり一端が右足の一部に掛けられる右足把持バンドと、伸縮可能なバンドからなり一端が左足の一部に掛けられる左足把持バンドとをそなえている。右肩把持バンドの他端、左肩把持バンドの他端、右足把持バンドの他端、及び左足把持バンドの他端は、人体の前方であって略へそに対向する場所において一点収束して互いに結合され中央結合点をなす。
【０００７】
右足把持バンドは、中央結合点から、右太股の前側、右脚の外側、右脚の膝の裏側にある大腿三頭筋、右脚の内側、右脚のふくらはぎ、及び右脚の内側のくるぶしのすぐ上にこの順で対向するように螺旋状に巻回され、右足把持バンドの一端は、足首に最も近い位置で足の甲から足の裏にかけて巻回したような状態で掛けられる。左足把持バンドは、中央結合点から、左太股の前側、左脚の外側、左脚の膝の裏側にある大腿三頭筋、左脚の内側、左脚のふくらはぎ、及び左脚の内側のくるぶしのすぐ上にこの順で対向するように螺旋状に巻回され、左足把持バンドの一端は、足首に最も近い位置で足の甲から足の裏にかけて巻回したような状態で掛けられる。右肩把持バンド、左肩把持バンド、右足把持バンド、及び、左足把持バンドのそれぞれの収縮力により右肩、左肩、右足、及び左足を中央結合点へ引寄せるように構成されている。
【先行技術文献】
【特許文献】
【０００８】
【特許文献１】特許第３６６３１６８号公報
【発明の概要】
【発明が解決しようとする課題】
【０００９】
しかし、上記公報記載の姿勢改善バンドは、人体への装着が簡単ではなく、帯状をした右肩把持バンド、左肩把持バンド、右足把持バンド、左足把持バンドが途中でねじれて裏返ってしまったり、装着者が装着方法を正確に把握していないために全体が裏返しになった状態で装着されたりと言ったように、更なる装着の容易性が要求されていた。
【００１０】
また、姿勢改善バンドを装着しているときに、上述した所定の装着位置からずれてしまい、当該所定の装着位置では発揮できる姿勢改善バンドの効果を十分に発揮できないといったことが生ずる恐れもある。
【００１１】
そこで、本発明は、バンドの部分が確実且つ容易に人体の所望の位置に配置可能な下半身部用衣類を提供することを目的とする。
【課題を解決するための手段】
【００１２】
また、本発明は、着用者の丹田上方の丹田近傍部よりも下方の下半身部に着用可能であり該着用者の丹田上方の丹田近傍部よりも下方の下半身部に密着するように構成された下半身部用衣類本体部を有し、該下半身部用衣類本体部には、伸縮可能なバンド部からなり該下半身部用衣類本体部を着用したときに一端が右足又は右脚に配置される右足把持バンド部と、伸縮可能なバンド部からなり該下半身部用衣類本体部を着用したときに一端が左足又は左脚に配置される左足把持バンド部とが、それぞれ該下半身部用衣類本体部に対して移動不能に設けられ、該右足把持バンド部の他端及び該左足把持バンド部の他端は人体の前方であって丹田に対向する場所において一点収束して互いに結合され下結合点をなし、該右足把持バンド部は、該下結合点から、右太股の前側、右脚の外側にこの順で対向するように螺旋状に巻回されるように配置され、該左足把持バンド部は、該下結合点から、左太股の前側、左脚の外側にこの順で対向するように螺旋状に巻回されるように配置され、該右足把持バンド部及び、該左足把持バンド部のそれぞれの収縮力により右脚及び左脚を該下結合点へ引寄せる下半身部用衣類を提供している。
【００１３】
着用者の丹田上方の丹田近傍部よりも下方の下半身部に密着するように構成された下半身部用衣類本体部を有し、下半身部用衣類本体部には、伸縮可能なバンド部からなる右足把持バンド部と、伸縮可能なバンド部からなる左足把持バンド部とが、それぞれ下半身部用衣類本体部に対して移動不能に設けられているため、一般的な下半身用の衣類、例えばスパッツ等を着用するようにして下半身部用衣類本体部を着用することで、下半身部用衣類の着用者が体を動かしているときであっても動かしていないときであっても常に位置ずれすることなく、右足把持バンド部を、下結合点から、右太股の前側、右脚の外側にこの順で対向するように螺旋状に巻回されるように確実に配置することができる。
【００１４】
同様に、一般的な下半身用の衣類、例えばスパッツ等を着用するようにして下半身部用衣類本体部を着用することで、下半身部用衣類の着用者が体を動かしているときであっても動かしていないときであっても常に位置ずれすることなく、左足把持バンド部を、下結合点から、左太股の前側、左脚の外側にこの順で対向するように螺旋状に巻回されるように確実に配置することができる。
【００１５】
このため、下半身部用衣類の着用者が体を動かしているときであっても動かしていないときであっても常に位置ずれすることなく、右足把持バンド部、左足把持バンド部のそれぞれの収縮力により右脚、左脚を中央結合点へ引寄せる力を生じさせることができ、このことから大腿部が内旋される力を生じさせることができる。すると、この内旋される力に抗して着用者は自ら大腿部を外旋させようとするため、この外旋に伴い骨盤を適正な前傾した角度にするとともに骨盤の位置を適正な位置に移動し、上体を起こして背筋を伸ばす。この結果、身体のアラインメント、即ち、筋骨格系の重力方向への働きが適正な状態となり、体全体として良い姿勢をユーザ自らが形づくり、自らの身体をもってこの適正なアラインメントを習得することができる。このことにより、骨盤の向きが不適切であることに起因して膝に過度に負担がかかることを極力防止することができる。
【００１６】
ここで、該右足把持バンド部は、該下結合点から、右太股の前側、右脚の外側、右脚の膝の裏側にある大腿三頭筋、右脚の内側、右脚のふくらはぎ、及び右脚の内側のくるぶしのすぐ上にこの順で対向するように螺旋状に巻回されるように配置され、該左足把持バンド部は、該下結合点から、左太股の前側、左脚の外側、左脚の膝の裏側にある大腿三頭筋、左脚の内側、左脚のふくらはぎ、及び左脚の内側のくるぶしのすぐ上にこの順で対向するように螺旋状に巻回されるように配置されていることが好ましい。
【００１７】
着用者の丹田上方の丹田近傍部よりも下方の下半身部に密着するように構成された下半身部用衣類本体部を有し、下半身部用衣類本体部には、伸縮可能なバンド部からなる右足把持バンド部と、伸縮可能なバンド部からなる左足把持バンド部とが、それぞれ下半身部用衣類本体部に対して移動不能に設けられているため、一般的な下半身用の衣類、例えばジャージ等を着用するようにして下半身部用衣類本体部を着用することで、下半身部用衣類の着用者が体を動かしているときであっても動かしていないときであっても常に位置ずれすることなく、右足把持バンド部を、下結合点から、右太股の前側、右脚の外側、右脚の膝の裏側にある大腿三頭筋、右脚の内側、右脚のふくらはぎ、及び右脚の内側のくるぶしのすぐ上にこの順で対向するように螺旋状に巻回されるように確実に配置することができる。
【００１８】
同様に、一般的な下半身用の衣類、例えばジャージ等を着用するようにして下半身部用衣類本体部を着用することで、下半身部用衣類の着用者が体を動かしているときであっても動かしていないときであっても常に位置ずれすることなく、左足把持バンド部を、下結合点から、左太股の前側、左脚の外側、左脚の膝の裏側にある大腿三頭筋、左脚の内側、左脚のふくらはぎ、及び左脚の内側のくるぶしのすぐ上にこの順で対向するように螺旋状に巻回されるように確実に配置することができる。
【００１９】
このため、下半身部用衣類の着用者が体を動かしているときであっても動かしていないときであっても常に位置ずれすることなく、右足把持バンド部、左足把持バンド部のそれぞれの収縮力により右脚、左脚を中央結合点へ引寄せる力を生じさせることができ、このことから大腿部が内旋される力を生じさせることができる。すると、この内旋される力に抗して着用者は自ら大腿部を外旋させようとするため、この外旋に伴い骨盤を適正な前傾した角度にするとともに骨盤の位置を適正な位置に移動し、上体を起こして背筋を伸ばす。この結果、身体のアラインメント、即ち、筋骨格系の重力方向への働きが適正な状態となり、体全体として良い姿勢をユーザ自らが形づくり、自らの身体をもってこの適正なアラインメントを習得することができる。このことにより、骨盤の向きが不適切であることに起因して膝に過度に負担がかかることを極力防止することができる。
【００２０】
更に、該下半身部用衣類本体部には、伸縮可能なバンド部からなる右外旋誘導補助バンド部と、伸縮可能なバンド部からなる左外旋誘導補助バンド部とが、それぞれ該下半身部用衣類本体部に対して移動不能に設けられ、該右外旋誘導補助バンド部は、その一端が該下結合点において該右足把持バンド部に重ねられ、右大腿部前部、右大腿部とお尻との接続位置、右大腿部の内側にこの順で対向するように螺旋状に配置され、更に右大腿部の周方向へ右大腿部を１周巻回するように、右大腿部の内側から右大腿部の前部を通り右大腿部の外側へ延出し右大腿部の後部を通り当該右大腿部の内側において該右外旋誘導補助バンド部の中間の部分に該右外旋誘導補助バンド部の他端が重ねられ、該左外旋誘導補助バンド部は、その一端が該下結合点において該左足把持バンド部に重ねられ、左大腿部前部、左大腿部とお尻との接続位置、左大腿部の内側にこの順で対向するように螺旋状に配置され、更に左大腿部の周方向へ左大腿部を１周巻回するように、左大腿部の内側から左大腿部の前部を通り左大腿部の外側へ延出し左大腿部の後部を通り当該左大腿部の内側において該左外旋誘導補助バンド部の中間の部分に該左外旋誘導補助バンド部の他端が重ねられていることが好ましい。
【００２１】
右外旋誘導補助バンド部は、その一端が下結合点において右足把持バンド部に重ねられ、右大腿部前部、右大腿部とお尻との接続位置、右大腿部の内側にこの順で対向するように螺旋状に配置され、更に右大腿部の周方向へ右大腿部を１周巻回するように、当該右大腿部の内側から右大腿部の前部を通り右大腿部の外側へ延出し右大腿部の後部を通り当該右大腿部の内側において右外旋誘導補助バンド部の一部に右外旋誘導補助バンド部の他端が重ねられ、左外旋誘導補助バンド部は、その一端が下結合点において左足把持バンド部に重ねられ、左大腿部前部、左大腿部とお尻との接続位置、左大腿部の内側にこの順で対向するように螺旋状に配置され、更に左大腿部の周方向へ左大腿部を１周巻回するように、当該左大腿部の内側から左大腿部の前部を通り左大腿部の外側へ延出し左大腿部の後部を通り当該左大腿部の内側において左外旋誘導補助バンド部の一部に左外旋誘導補助バンド部の他端が重ねられているため、お尻の下部を上方へ引き上げるように支持することができ、股関節の外旋の誘導促進作用をより強くすることができる。
【００２２】
このため、例えば、右足把持バンド部の一端を、右足首に最も近い位置で右足の甲から右足の裏にかけて巻回したような状態で掛けられるように配置せず、また、左足把持バンド部の一端を、左足首に最も近い位置で左足の甲から左足の裏にかけて巻回したような状態で掛けられるように配置しなくても、外旋の誘導促進作用を十分に発揮することができる。
【００２３】
また、該右足把持バンド部の一端は、右足首に最も近い位置で右足の甲から右足の裏にかけて巻回したような状態で掛けられるように配置され、該左足把持バンド部の一端は、左足首に最も近い位置で左足の甲から左足の裏にかけて巻回したような状態で掛けられるように配置され、該右足把持バンド部及び、該左足把持バンド部のそれぞれの収縮力により右足及び左足を該下結合点へ引寄せることが好ましい。
【００２４】
着用者の丹田上方の丹田近傍部よりも下方の下半身部に密着するように構成された下半身部用衣類本体部を有し、下半身部用衣類本体部には、伸縮可能なバンド部からなる右足把持バンド部と、伸縮可能なバンド部からなる左足把持バンド部とが、それぞれ下半身部用衣類本体部に対して移動不能に設けられているため、一般的な下半身用の衣類、例えばタイツ等を着用するようにして下半身部用衣類本体部を着用することで、下半身部用衣類の着用者が体を動かしているときであっても動かしていないときであっても常に位置ずれすることなく、右足把持バンド部の一端を、右足首に最も近い位置で右足の甲から右足の裏にかけて巻回したような状態で掛けられるように確実に配置することができる。
【００２５】
同様に、一般的な下半身用の衣類、例えばタイツ等を着用するようにして下半身部用衣類本体部を着用することで、下半身部用衣類の着用者が体を動かしているときであっても動かしていないときであっても常に位置ずれすることなく、左足把持バンド部の一端を、左足首に最も近い位置で左足の甲から左足の裏にかけて巻回したような状態で掛けられるように確実に配置することができる。
【００２６】
このため、下半身部用衣類の着用者が体を動かしているときであっても動かしていないときであっても常に位置ずれすることなく、右足把持バンド部、左足把持バンド部のそれぞれの収縮力により右足、左足を中央結合点へ引寄せる力を生じさせることができ、このことから大腿部が内旋される力を生じさせることができる。すると、この内旋される力に抗して着用者は自ら大腿部を外旋させようとするため、この外旋に伴い骨盤を適正な前傾した角度にするとともに骨盤の位置を適正な位置に移動し、上体を起こして背筋を伸ばす。この結果、身体のアラインメント、即ち、筋骨格系の重力方向への働きが適正な状態となり、体全体として良い姿勢をユーザ自らが形づくり、自らの身体をもってこの適正なアラインメントを習得することができる。このことにより、骨盤の向きが不適切であることに起因して膝に過度に負担がかかることを極力防止することができる。
【００２７】
また、右足把持バンド部、左足把持バンド部のそれぞれの収縮力による右足、左足を中央結合点へ引寄せる力により、左右の足の親指の骨が床から浮き上がるような力が左右の足の親指の骨に作用する。すると、この浮き上がるような力に抗して着用者は自ら足の親指の骨を床に押し付けて踏込みをしっかりしようとする。このため、歩行しているとき又は走っているときに踏み込んでいる方の足とは反対の足を安定させることができ、歩いているときの姿勢や走っているときの姿勢を安定させることができる。更に、前述のように左右の足の親指の骨が床から浮き上がるような力が左右の足の親指の骨に作用すると、足の運動連鎖によって、膝よりも上の大腿部には当該大腿部が内旋させられるような力を作用させることができる。
【発明の効果】
【００２８】
以上より本発明は、バンドの部分が確実且つ容易に人体の所望の位置に配置可能な下半身部用衣類を提供することができる。
【図面の簡単な説明】
【００２９】
【図１】本発明の実施の形態による上半身部用衣類及び下半身部用衣類を示す正面図。
【図２】本発明の実施の形態による上半身部用衣類及び下半身部用衣類を示す背面図。
【図３】本実施の形態によるつなぎ型衣類を示す背面図。
【図４】本実施の形態によるつなぎ型衣類を示す正面図。
【図５】本発明の実施の形態による下半身部用衣類の変形例を示す図であり、（ａ）は正面図、（ｂ）は側面図、（ｃ）は背面図。
【図６】本発明の実施の形態による下半身部用衣類の他の変形例を示す図であり、（ａ）は正面図、（ｂ）は側面図、（ｃ）は背面図。
【発明を実施するための形態】
【００３０】
本発明の実施の形態による上半身部用衣類及び下半身部用衣類について図１乃至図２に基づき説明する。上半身部用衣類１は、図１、図２に示されるように、上半身部用衣類本体部１Ａと、右肩把持バンド部１０と、左肩把持バンド部２０と、第１連結バンド部１５と（図２）、第２連結バンド部２５（図２）とを備えている。上半身部用衣類本体部１Ａは、袖なしの略ランニングシャツ形状をしており、図１に示されるように、上半身部用衣類本体部１Ａを着用する着用者の丹田下方の丹田近傍部よりも上方の上半身部たる上半身の胴体部に着用可能である。上半身部用衣類本体部１Ａを着用した着用者の丹田下方の丹田近傍部よりも上方の上半身部に対して、締付けない程度に密着するように構成されている。
【００３１】
右肩把持バンド部１０、左肩把持バンド部２０、第１連結バンド部１５、及び第２連結バンド部２５は、それぞれ細長い帯状の、伸縮可能なバンドからなる。これらのバンドは、一方の面が全面で上半身部用衣類本体部１Ａの外側の面に対向するようにして縫付けられており、それぞれ上半身部用衣類本体部１Ａに対して移動不能とされている。
【００３２】
右肩把持バンド部１０の一端には、右肩把持バンド部１０を構成するバンドの一部が大きなリング状とされて構成された右肩掛け部１０Ａが設けられている。より詳細には、右肩掛け部１０Ａは、右肩把持バンド部１０を構成するバンドの一部が折り返され、その端部が右肩把持バンド部１０を構成するバンドの他の部分に重ねられて構成されている。この重ねられた部分は後述のように着用者が上半身部用衣類１を着用したときに右わき腹に対向する位置に配置されるのであるが、この部分から丹田に近づくに従い、図１に示されるように、右肩把持バンド部１０の幅が徐々に広くなっている右拡幅部１０Ｂをなしている。右肩掛け部１０Ａは、後述のように着用者が上半身部用衣類１を着用したときに、そのリング状の部分に右腕が通されて、右肩を巻回し右肩に掛けられたように配置される。
【００３３】
左肩把持バンド部２０の一端には、左肩把持バンド部２０を構成するバンドの一部が大きなリング状とされて構成された左肩掛け部２０Ａが設けられている。より詳細には、左肩掛け部２０Ａは、左肩把持バンド部２０を構成するバンドの一部が折り返され、その端部が左肩把持バンド部２０を構成するバンドの他の部分に重ねられて構成されている。この重ねられた部分は後述のように着用者が上半身部用衣類１を着用したときに左わき腹に対向する位置に配置されるのであるが、この部分から丹田に近づくに従い、図１に示されるように、左肩把持バンド部２０の幅が徐々に広くなっている左拡幅部２０Ｂをなしている。右肩把持バンド部１０、左肩把持バンド部２０の他端たる図１に示される右拡幅部１０Ｂ、左拡幅部２０Ｂの下端は、丹田に対向する位置に配置されて重ねられており、この位置で右肩把持バンド部１０、左肩把持バンド部２０は一点収束して互いに結合され上結合点１Ｃをなす。左肩掛け部２０Ａは、後述のように着用者が上半身部用衣類１を着用したときに、そのリング状の部分に左腕が通されて、左肩を巻回し右肩に掛けられたように配置される。
【００３４】
右肩掛け部１０Ａと左肩掛け部２０Ａとの間には、図２に示されるように、両者の間を渡すようにして設けられた第１連結バンド部１５と第２連結バンド部２５とが設けられている。第１連結バンド部１５、第２連結バンド部２５も、伸縮可能なバンドにより構成されている。第１連結バンド部１５の一端は、後述のように着用者が上半身部用衣類１を着用したときに、右肩胛骨下部から左肩胛骨下部へ向かった右肩胛骨下部近傍に位置し、この位置において右肩把持バンド部１０に重ねられている。また、第１連結バンド部１５の他端は、後述のように着用者が上半身部用衣類１を着用したときに、左肩胛骨下部から右肩胛骨下部へ向かった左肩胛骨下部近傍に位置し、この位置において左肩把持バンド部２０に重ねられている。即ち、第１連結バンド部１５は、右肩掛け部１０Ａの一端部を構成するリング状の右肩掛け部１０Ａの部分と、左肩掛け部２０Ａの一端部を構成するリング状の左肩掛け部２０Ａの部分とを連結している。
【００３５】
第２連結バンド部２５の一端は、後述のように着用者が上半身部用衣類１を着用したときに右下後鋸筋に対向配置されており、この位置において右肩把持バンド部１０に重ねられている。また、第２連結バンド部２５の他端は、後述のように着用者が上半身部用衣類１を着用したときに、左下後鋸筋に対向配置されており、この位置において左肩把持バンド部２０に重ねられている。即ち、第２連結バンド部２５は、第１連結バンド部１５と同様に、右肩掛け部１０Ａの一端部を構成するリング状の右肩掛け部１０Ａの部分と、左肩掛け部２０Ａの一端部を構成するリング状の左肩掛け部２０Ａの部分とを連結している。
【００３６】
下半身部用衣類２は、下半身部用衣類本体部２Ａと、右足把持バンド部３０と、左足把持バンド部４０とを備えている。これらは細長い帯状の、伸縮可能なバンドからなる。これらのバンドは、一方の面が全面で上半身部用衣類本体部１Ａの外側の面に対向するようにして縫付けられており、それぞれ下半身部用衣類本体部２Ａに対して移動不能とされている。
【００３７】
下半身部用衣類本体部２Ａは略タイツ形状をしており、図１に示されるように、下半身部用衣類本体部２Ａを着用する着用者の丹田上方の丹田近傍部よりも下方の下半身部に着用可能である。下半身部用衣類本体部２Ａは両足裏の長手方向において、かかとからつま先寄りの所定の部分と、つま先からかかと寄りの所定の部分とがそれぞれカットされた形状になっており、かかとと、前足部のつま先寄りの部分たる前足部の前部は下半身部用衣類本体部２Ａに覆われずに露出するように構成されている。下半身部用衣類本体部２Ａは、下半身部用衣類本体部２Ａを着用した着用者の丹田上方の丹田近傍部よりも下方の下半身部、すなわち、胴体下部、脚、及び足に対して、締付けない程度に密着するように構成されている。
【００３８】
右足把持バンド部３０の一端には、右足把持バンド部３０を構成するバンドの一部がリング状とされて構成された右足掛け部３０Ａが設けられている。より詳細には、右足掛け部３０Ａは、右足把持バンド部３０を構成するバンドの一部が折り返され、その端部が右足把持バンド部３０を構成するバンドの他の部分に重ねられて構成されている。右足掛け部３０Ａは、着用者が下半身部用衣類２を着用することで、そのリング状の部分に右足先が通されて、右足首に最も近い位置で右足の甲から右足の裏にかけて巻回して掛けられたように配置される。
【００３９】
左足把持バンド部４０の一端には、左足把持バンド部４０を構成するバンドの一部がリング状とされて構成された左足掛け部４０Ａが設けられている。より詳細には、左足掛け部４０Ａは、左足把持バンド部４０を構成するバンドの一部が折り返され、その端部が左足把持バンド部４０を構成するバンドの他の部分に重ねられて構成されている。左足掛け部４０Ａは、着用者が下半身部用衣類２を着用することで、そのリング状の部分に左足先が通されて、左足首に最も近い位置で左足の甲から左足の裏にかけて巻回したような状態で掛けられる。
【００４０】
右足把持バンド部３０、左足把持バンド部４０の他端たる図１に示される上端は、後述のように着用者が下半身部用衣類２を着用したときに、丹田に対向する位置に配置されて重ねられており、この位置で右足把持バンド部３０、左足把持バンド部４０は一点収束して互いに結合され下結合点２Ｃをなす。後述のように着用者が上半身部用衣類１及び下半身部用衣類２を着用したときに、上半身部用衣類１の下端部と下半身部用衣類２の上端部とは、図１、図２に示されるように着用者の上下方向において略１０ｃｍ程度重なるように構成されており、このとき、上結合点１Ｃ及び下結合点２Ｃは一致して丹田に対向し、これらは中央結合点をなす。
【００４１】
上半身部用衣類１の着用は、あたかもランニングシャツを着用するかのようにして行う。このことにより、右肩把持バンド部１０の右肩掛け部１０Ａのリング状の部分に右腕が通されて、当該リング状の部分が右肩を巻回し右肩に掛けられたように配置される。このとき、右肩把持バンド部１０の一端部たる右肩掛け部１０Ａのリング状の部分の一部が右前鋸筋、右下後鋸筋に対向すると共にリング状の部分と右肩把持バンド部１０の他端部との間の中間部が右外腹斜筋に対向するように配置される。
【００４２】
また、左肩把持バンド部２０の左肩掛け部２０Ａのリング状の部分に左腕が通されて、当該リング状の部分が左肩を巻回し左肩に掛けられたように配置される。このとき、左肩把持バンド部２０の一端部たる左肩掛け部２０Ａのリング状の部分の一部が左前鋸筋、左下後鋸筋に対向すると共にリング状の部分と左肩把持バンド部２０の他端部との間の中間部が左外腹斜筋に対向するように配置される。
【００４３】
また、第１連結バンド部１５、第２連結バンド部２５により、図２に示されるように背後に配置された右肩掛け部１０Ａ、左肩掛け部２０Ａの部分は互いに近接するように引き寄せられた位置関係とされ、左右の肩胛骨間の位置に配置される。このため、背後に配置された右肩掛け部１０Ａ、左肩掛け部２０Ａの部分が右肩胛骨、左肩胛骨に対向する位置に配置されることを避けることができ、上半身部用衣類１をより快適に着用することができる。
【００４４】
また、着用者の丹田下方の丹田近傍部よりも上方の上半身部に密着するように構成された上半身部用衣類本体部１Ａを有し、上半身部用衣類本体部１Ａには、伸縮可能なバンドからなる右肩把持バンド部１０と、伸縮可能なバンドからなる左肩把持バンド部２０と、伸縮可能なバンドからなる第１連結バンド部１５と、伸縮可能なバンドからなる第２連結バンド部２５とが、それぞれ上半身部用衣類本体部１Ａに対して移動不能に設けられているため、あたかも一般的なランニングシャツ等を着用するようにして上半身部用衣類本体部１Ａを着用することで、上半身部用衣類１の着用者が体を動かしているときであっても動かしていないときであっても常に位置ずれすることなく、前述のように右肩把持バンド部１０を、一端部が右前鋸筋、右下後鋸筋に対向し且つ右肩に掛けられるように確実に配置すると共に一端部と他端部との間の中間部が右外腹斜筋に対向するように確実に配置することができ、また、前述のように左肩把持バンド部２０を、一端部が左前鋸筋、左下後鋸筋に対向し且つ左肩に掛けられるように確実に配置すると共に一端部と他端部との間の中間部が左外腹斜筋に対向するように確実に配置することができる。
【００４５】
同様に、前述のように第１連結バンド部１５を、右肩胛骨下部近傍に位置する右肩把持バンド部１０の一端の部分と左肩胛骨下部近傍に位置する左肩把持バンド部２０の一端の部分とを連結するように確実に配置することができ、前述のように第２連結バンド部２５を、右下後鋸筋に対向配置される右肩把持バンド部１０の一端の部分と左下後鋸筋に対向配置される左肩把持バンド部２０の一端の部分とを連結するように確実に配置することができる。
【００４６】
このため、上半身部用衣類１の着用者が体を動かしているときであっても動かしていないときであっても常に位置ずれすることなく、快適な着用感で、前鋸筋と外腹斜筋とを補助することができ、この結果着用者は上体を起こして上体を前に出すことができる。このことで体重を前方へ移動させることができ、着用者が立っている姿勢のときには、床を足でしっかり踏みしめることができる。
【００４７】
また一般に、右前鋸筋と左前鋸筋とはアンバランスになっていることが多く、同様に右外腹斜筋と左外腹斜筋とはアンバランスになっていることが多いのであるが、右肩把持バンド部１０及び左肩把持バンド部２０のそれぞれの収縮力を等しくして右肩及び左肩を上結合点１Ｃへ均等に引寄せるようにすることにより、これらアンバランスになっている筋肉を左右均等にすることができる。
【００４８】
また、右肩把持バンド部１０及び左肩把持バンド部２０のそれぞれの収縮力により右肩及び左肩を上結合点１Ｃへ引寄せるため、着用者は、この引寄せる力に抗して胸を広げようとする。これらのことから、身体の運動システムをより正常化へ導くことが可能となるため、胸郭、腹部の呼吸運動の向上を図ることができ、ヒトの基本的な運動である呼吸運動を適切に行えるよう変化させることができる。
【００４９】
下半身部用衣類２の着用は、あたかもタイツを着用するかのようにして行う。このことにより、右足把持バンド部３０の右足掛け部３０Ａの一端部たるリング状の部分に右足先が通されて、当該リング状の部分が右足首に最も近い位置で右足の甲から右足の裏にかけて巻回して掛けられたように配置される。このとき、右足把持バンド部３０は、下結合点２Ｃから、右太股の前側、右脚の外側、右脚の膝の裏側にある大腿三頭筋、右脚の内側、右脚のふくらはぎ、及び右脚の内側のくるぶしのすぐ上にこの順で対向するように螺旋状に巻回されるように配置される。
【００５０】
また、左足把持バンド部４０の左足掛け部４０Ａの一端部たるリング状の部分に左足先が通されて、当該リング状の部分が左足首に最も近い位置で左足の甲から左足の裏にかけて巻回して掛けられたように配置される。このとき、左足把持バンド部４０は、下結合点２Ｃから、左太股の前側、左足の外側、左足の膝の裏側にある大腿三頭筋、左脚の内側、左脚のふくらはぎ、及び左脚の内側のくるぶしのすぐ上にこの順で対向するように螺旋状に巻回されるように配置される。
【００５１】
即ち、着用者の丹田上方の丹田近傍部よりも下方の下半身部に密着するように構成された下半身部用衣類本体部２Ａを有し、下半身部用衣類本体部２Ａには、伸縮可能なバンドからなる右足把持バンド部３０と、伸縮可能なバンドからなる左足把持バンド部４０とが、それぞれ下半身部用衣類本体部２Ａに対して移動不能に設けられているため、一般的なタイツ等を着用するようにして下半身部用衣類本体部２Ａを着用することで、下半身部用衣類２の着用者が体を動かしているときであっても動かしていないときであっても常に位置ずれすることなく、右足把持バンド部３０を、下結合点２Ｃから、右太股の前側、右脚の外側、右脚の膝の裏側にある大腿三頭筋、右脚の内側、右脚のふくらはぎ、及び右脚の内側のくるぶしのすぐ上にこの順で対向するように螺旋状に巻回されるように確実に配置し、右足把持バンド部３０の一端は、足首に最も近い位置で足の甲から足の裏にかけて巻回したような状態で掛けられるように確実に配置することができる。
【００５２】
同様に、一般的なタイツ等を着用するようにして下半身部用衣類本体部２Ａを着用することで、下半身部用衣類２の着用者が体を動かしているときであっても動かしていないときであっても常に位置ずれすることなく、下半身部用衣類本体部２Ａを着用しているときに左足把持バンド部４０を、下結合点２Ｃから、左太股の前側、左脚の外側、左脚の膝の裏側にある大腿三頭筋、左脚の内側、左脚のふくらはぎ、及び左脚の内側のくるぶしのすぐ上にこの順で対向するように螺旋状に巻回されるように確実に配置することができ、左足把持バンド部４０の一端は、足首に最も近い位置で足の甲から足の裏にかけて巻回したような状態で掛けられるように確実に配置することができる。
【００５３】
このため、下半身部用衣類２の着用者が体を動かしているときであっても動かしていないときであっても常に位置ずれすることなく、右足把持バンド部３０、左足把持バンド部４０のそれぞれの収縮力により右足、左足を中央結合点へ引寄せる力を生じさせることができ、このことから大腿部が内旋される力を生じさせることができる。すると、この内旋される力に抗して着用者は自ら大腿部を外旋させようとするため、この外旋に伴い骨盤を適正な前傾した角度にするとともに骨盤の位置を適正な位置に移動し、上体を起こして背筋を伸ばす。この結果、身体のアラインメント、即ち、筋骨格系の重力方向への働きが適正な状態となり、体全体として良い姿勢をユーザ自らが形づくり、自らの身体をもってこの適正なアラインメントを習得することができる。このことにより、骨盤の向きが不適切であることに起因して膝に過度に負担がかかることを極力防止することができる。ここで、外旋とは右大腿部がその軸心を中心として時計回り方向へ回転させられると同時に左大腿部がその軸心を中心として反時計回り方向へ回転させられ更に右大腿部と左大腿部とが互いに離間することをいう。逆に内旋とは、右大腿部がその軸心を中心として反時計回り方向へ回転させられると同時に左大腿部がその軸心を中心として時計回り方向へ回転させられ更に右大腿部と左大腿部とが互いに接近することをいう。
【００５４】
また、右足把持バンド部３０、左足把持バンド部４０のそれぞれの収縮力による右足、左足を中央結合点へ引寄せる力により、左右の足の親指の骨が床から浮き上がるような力が左右の足の親指の骨に作用する。すると、この浮き上がるような力に抗して着用者は自ら足の親指の骨を床に押し付けて踏込みをしっかりしようとする。このため、歩行しているとき又は走っているときに踏み込んでいる方の足とは反対の足を安定させることができ、歩いているときの姿勢や走っているときの姿勢を安定させることができる。
【００５５】
次に、本実施の形態によるつなぎ型衣類３について図３に基づき説明する。つなぎ型衣類３は、より具体的には、前述の上半身部用衣類１と下半身部用衣類２とを一体に繋ぎ合わせてつなぎ型としたものであり、上半身部用衣類１の右肩把持バンド部１０、左肩把持バンド部２０、第１連結バンド部１５、第２連結バンド部２５、及び、下半身部用衣類２の右足把持バンド部３０、左足把持バンド部４０と同一の右肩把持バンド部１０、左肩把持バンド部２０、第１連結バンド部１５、第２連結バンド部２５、下半身部用衣類２の右足把持バンド部３０、左足把持バンド部４０を有している。これらのバンド部は一方の面が全面で、上半身部用衣類本体部１Ａと下半身部用衣類本体部２Ａとが一体に繋ぎ合わせて構成されたつなぎ型衣類本体部３Ａの内側の面に対向するようにして縫付けられており、それぞれつなぎ型衣類本体部３Ａに対して移動不能とされている。
【００５６】
右肩把持バンド部１０、左肩把持バンド部２０の一点収束されて互いに結合された上結合点１Ｃ（図１）の部分と、右足把持バンド部３０、左足把持バンド部４０の一点収束されて互いに結合された下結合点２Ｃ（図１）の部分とは、丹田に対向する位置において重ね合わされて中央結合点をなす。
【００５７】
また、胸に対向するつなぎ型衣類３の部分には、図４に示されるように、つなぎ型衣類本体部３Ａの首の付け根に対向する位置から略剣状突起に対向する位置に渡ってファスナー３Ｂが設けられている。ファスナー３Ｂを開いた状態としてつなぎ型衣類３を容易に着用したり脱いだりすることができるように構成されている。
【００５８】
つなぎ型衣類３を着用することで、つなぎ型衣類３の着用者が体を動かしているときであっても動かしていないときであっても常に位置ずれすることなく、右肩把持バンド部１０を、一端部が右前鋸筋、右下後鋸筋に対向し且つ右肩に掛けられるように確実に配置すると共に一端部と他端部との間の中間部が右外腹斜筋に対向するように確実に配置することができ、また、左肩把持バンド部２０を、一端部が左前鋸筋、左下後鋸筋に対向し且つ左肩に掛けられるように確実に配置すると共に一端部と他端部との間の中間部が左外腹斜筋に対向するように確実に配置することができ、第１連結バンド部１５を、右肩胛骨下部近傍に位置する右肩把持バンド部１０の一端の部分と左肩胛骨下部近傍に位置する左肩把持バンド部２０の一端の部分とを連結するように確実に配置することができ、第２連結バンド部２５を、右下後鋸筋に対向配置される右肩把持バンド部１０の一端の部分と左下後鋸筋に対向配置される左肩把持バンド部２０の一端の部分とを連結するように確実に配置することができる。
【００５９】
またこれと同時に、右足把持バンド部３０を、下結合点２Ｃから、右太股の前側、右脚の外側、右脚の膝の裏側にある大腿三頭筋、右脚の内側、右脚のふくらはぎ、及び右脚の内側のくるぶしのすぐ上にこの順で対向するように螺旋状に巻回されるように確実に配置し、右足把持バンド部３０の一端は、足首に最も近い位置で足の甲から足の裏にかけて巻回したような状態で掛けられるように確実に配置することができ、同様に、左足把持バンド部４０を、下結合点２Ｃから、左太股の前側、左脚の外側、左脚の膝の裏側にある大腿三頭筋、左脚の内側、左脚のふくらはぎ、及び左脚の内側のくるぶしのすぐ上にこの順で対向するように螺旋状に巻回されるように確実に配置し、左足把持バンド部４０の一端は、足首に最も近い位置で足の甲から足の裏にかけて巻回したような状態で掛けられるように確実に配置することができる。
【００６０】
このため、前述した上半身部用衣類１、下半身部用衣類２と同様の効果を発揮することができる。即ち、右肩把持バンド部１０、左肩把持バンド部２０、右足把持バンド部３０、左足把持バンド部４０のそれぞれの収縮力により右肩、左肩、右足、左足を中央結合点へ引寄せる力が生じるため、ユーザは、この力に抗して背筋を伸ばそうとして骨盤を適正な前傾した角度にするとともに骨盤の位置を適正な位置に移動し、上体を起こして背筋を伸ばす。この結果、身体のアラインメント、即ち、筋骨格系の重力方向への働きが適正な状態となり、体全体として良い姿勢をユーザ自らが形づくり、自らの身体をもってこの適正なアラインメントを習得することができる。このことにより、前述のように骨盤の向きが不適切であることに起因して膝に過度に負担がかかることを極力防止することができる。
【００６１】
また、右肩把持バンド部１０、左肩把持バンド部２０、第１連結バンド部１５、及び第２連結バンド部２５が腹筋群をサポートすることにより脊柱起立筋群の余計な収縮活動を抑制することが可能になり、脊柱の可動性を向上させ、脊柱の本来持っている能力を引き出すことができる。また、膝関節の負担を減らすことができ、腰痛、膝関節痛、肩関節痛等の四肢体幹の関節痛の軽減及び予防をすることができる。また、立ちしゃがみ動作や階段昇降などの動作を理想的な筋肉の使用状態で行うことができる。
【００６２】
また、身体の運動システムをより正常化へ導くことが可能となるため、前述のように、胸郭、腹部の呼吸運動の向上を図ることができ、ヒトの基本的な運動である呼吸運動を適切に行えるよう変化させることができる。このため、適正な姿勢でより持続的な歩行が可能となる。
【００６３】
上半身部用衣類、下半身部用衣類、及びつなぎ型衣類は上述した実施の形態に限定されず、特許請求の範囲に記載した範囲で種々の変形や改良が可能である。例えば、右肩把持バンド部１０、左肩把持バンド部２０部、第１連結バンド部１５、第２連結バンド部２５、右足把持バンド部３０、左足把持バンド部４０は、上半身部用衣類本体部１Ａ、又は下半身部用衣類本体部２Ａ、又はつなぎ型衣類本体部３Ａの外側の面に対向するようにして縫付けられていたが、外側の面ではなく内側の面に縫付けられていてもよい。また、縫付けに限定されず、これらのバンド部を上半身部用衣類本体部、又は下半身部用衣類本体部、又はつなぎ型衣類本体部に対して移動不能に固定できればよい。
【００６４】
また、これらバンド部を構成するバンドを上半身部用衣類本体部１Ａ、又は下半身部用衣類本体部２Ａ、又はつなぎ型衣類本体部３Ａに固定する構成に限定されない。例えば、上半身部用衣類本体部、又は下半身部用衣類本体部、又はつなぎ型衣類本体部の一部を伸縮可能な素材としてバンド部として構成し、当該バンド部と、上半身部用衣類本体部、又は下半身部用衣類本体部、又はつなぎ型衣類本体部とを一体で構成してもよい。
【００６５】
また、上半身部用衣類本体部１Ａは袖なしの略ランニングシャツ形状をしていたが、これに限定されず、例えば、半袖シャツ形状や長袖シャツ形状等であってもよい。同様に、下半身部用衣類本体部２Ａは略タイツ形状をしていたが、これに限定されず、また、つなぎ型衣類本体部３Ａの形状は本実施の形態の形状に限定されない。
【００６６】
また、右足把持バンド部３０、左足把持バンド部４０の一端は、右足把持バンド部３０、左足把持バンド部４０を構成するバンドの一部がリング状とされて構成された右足掛け部３０Ａ、左足掛け部４０Ａが設けられていたが、右足掛け部３０Ａ、左足掛け部４０Ａの構成は本実施のものに限定されない。
【００６７】
即ち、右足掛け部３０Ａは、右足把持バンド部３０を構成するバンドの一部が折り返され、右足把持バンド部３０を構成するバンドの他の部分に重ねられて構成されていたが、このような構成とせずに、例えば、足の裏側のバンドの部分と、足の甲よりも体の上方に位置する右足掛け部３０Ａの一部を構成するバンドの部分とを別体として、これらを互いに接続した状態としてリング状とし、そして、下半身部用衣類本体部又はつなぎ型衣類本体部に移動不能に固定してもよい。
【００６８】
また、上半身部用衣類１の上結合点１Ｃと下半身部用衣類２の下結合点２Ｃとを常に高い精度で一致させておくために、上半身部用衣類１の上結合点１Ｃの部分に例えばホックを設け、下半身部用衣類２の下結合点２Ｃの部分に例えば当該ホックが係合可能なホック係合部を設けて、上半身部用衣類１と下半身部用衣類２とを着用したときに、ホックをホック係合部に係合させるようにしてもよい。
【００６９】
また、下半身部用衣類本体部２Ａは、両足裏の長手方向において、かかとからつま先寄りの所定の部分と、つま先からかかと寄りの所定の部分はカットされた形状になっており、かかとと、前即部前方から足の指にかけての部分は露出するように構成されていたが、この形状に限定されない。
【００７０】
また、右足把持バンド部３０、左足把持バンド部４０の長さを、本実施の形態のものよりもずっと短くして、右足掛け部３０Ａ、左足掛け部４０Ａを右脚、左足の太股の付け根に掛かるように配置するようにしてもよい。この場合でも、中央結合点が体の重心の位置である丹田に対向する場所に位置するようにする必要がある。この場合には、右足把持バンド部３０、左足把持バンド部４０を構成するバンドに、右肩把持バンド部１０、左肩把持バンド部２０を構成するバンドよりも遙かにテンションの高いものを用いればよい。
【００７１】
また、遙かにテンションの高いものを用いない場合には、右外旋誘導補助バンド部及び左外旋誘導補助バンド部、を設ければよい。より具体的には、図５に示されるように、下半身部用衣類本体部５０の形状はスパッツ形状をなして膝上までの構成となっており、右足把持バンド部３１の後述する一端に対する他端は下結合点２Ｃに配置される。そして右足把持バンド部３１は、下結合点２Ｃから、右太股の前側、右膝よりも少し上の右脚の外側にこの順で対向するように螺旋状に巻回されるように配置され、その一端が右膝よりも少し上の右脚の外側に位置する。左足把持バンド部４１の後述する一端に対する他端は下結合点２Ｃに配置される。そして左足把持バンド部４１は、下結合点２Ｃから、左太股の前側、左膝よりも少し上の左脚の外側にこの順で対向するように螺旋状に巻回されるように配置され、その一端が左膝よりも少し上の右脚の外側に位置する。
【００７２】
右外旋誘導補助バンド部５１、左外旋誘導補助バンド部５２は、右足把持バンド部３１、左足把持バンド部４１と同様にそれぞれ細長い帯状をなし、伸縮可能なバンドからなり、一方の面が全面で下半身部用衣類本体部５０の外側の面に対向するようにして縫付けられており、それぞれ上半身部用衣類本体部５０に対して移動不能とされている。
【００７３】
右外旋誘導補助バンド部５１は、その一端が下結合点２Ｃにおいて右足把持バンド部３１に重ねられ、右大腿部前部、右大腿部とお尻との接続位置、右大腿部の内側にこの順で対向するように螺旋状に配置され、更に右大腿部の周方向へ右大腿部を１周巻回するように、当該右大腿部の内側から右大腿部の前部を通り右大腿部の外側へ延出し右大腿部の後部を通り当該右大腿部の内側において右外旋誘導補助バンド部５１の中間の部分に右外旋誘導補助バンド５１部の他端が重ねられている。
【００７４】
左外旋誘導補助バンド部５２は、その一端が下結合点２Ｃにおいて左足把持バンド部４１に重ねられ、左大腿部前部、左大腿部とお尻との接続位置、左大腿部の内側にこの順で対向するように螺旋状に配置され、更に左大腿部の周方向へ左大腿部を１周巻回するように、当該左大腿部の内側から左大腿部の前部を通り左大腿部の外側へ延出し左大腿部の後部を通り当該左大腿部の内側において左外旋誘導補助バンド部５２の中間の部分に左外旋誘導補助バンド部５２の他端が重ねられている。
【００７５】
この構成により、お尻の下部を上方へ引き上げるように支持することができ、股関節の外旋の誘導促進作用をより強くすることができる。このため、本実施の形態のように右足把持バンド部３１の一端を、足首に最も近い位置で足の甲から足の裏にかけて巻回したような状態で掛けられるように配置せず、また、左足把持バンド部４１の一端を、足首に最も近い位置で足の甲から足の裏にかけて巻回したような状態で掛けられるように配置しなくても、外旋の誘導促進作用を十分に発揮することができる。
【００７６】
さらに、下半身部用衣類本体部の形状はスパッツ形状ではなく、図６に示されるように、下半身部用衣類本体部６０は本実施の形態における下半身部用衣類本体部２Ａの足首よりも下の部分を除去した形状としてもよい。この場合には、図６に示されるように、右足把持バンド部３２の一端に対する他端は下結合点２Ｃに位置し、右足把持バンド部３２は、下結合点２Ｃから、右太股の前側、右脚の外側、右脚の膝の裏側にある大腿三頭筋、右脚の内側、右脚のふくらはぎ、及び右脚の内側のくるぶしのすぐ上にこの順で対向するように螺旋状に巻回されるように配置され、その一端が右脚の内側のくるぶしのすぐ上に配置される。また、左足把持バンド部４２の一端に対する他端は下結合点２Ｃに位置し、左足把持バンド部４２は、下結合点２Ｃから、左太股の前側、左脚の外側、左脚の膝の裏側にある大腿三頭筋、左脚の内側、左脚のふくらはぎ、及び左脚の内側のくるぶしのすぐ上にこの順で対向するように螺旋状に巻回されるように配置され、その一端は左脚の内側のくるぶしのすぐ上に配置される。また、右外旋誘導補助バンド部５１、左外旋誘導補助バンド部５２が設けられていることについては、スパッツ形状の場合と同様である。
【産業上の利用可能性】
【００７７】
本発明は、人の姿勢の改善を行う分野において利用可能である。
【符号の説明】
【００７８】
１        上半身部用衣類本体部
１Ａ      上半身部用衣類本体部
１Ｃ      上結合点
２        下半身部用衣類本体部
２Ａ      下半身部用衣類本体部
２Ｃ      下結合点
３        つなぎ型衣類
３Ａ      つなぎ型衣類本体部
１０      右肩把持バンド部
１５      第１連結バンド部
２０      左肩把持バンド部
２５      第２連結バンド部
３０      足把持バンド部
４０      左足把持バンド部
【図１】
0005300991.tif 000002
【図２】
0005300991.tif 000003
【図３】
0005300991.tif 000004
【図４】
0005300991.tif 000005
【図５】
0005300991.tif 000006
【図６】
0005300991.tif 000007